(57)【特許請求の範囲】
【請求項１】
横置きされた円筒型物品間の間隙部分に設置され、作業員の足場を形成する仮設構造物であって、
前記円筒型物品の軸方向に沿ってみたときの外枠形状が、逆三角形となっており、
隣接した前記円筒型物品間で架け渡され、前記作業員の荷重を直接受ける平板である床面と、
前記床面の前記円筒型物品と当接する各側部に連結され、該床面とともに前記外枠形状を形づくるとともに、この外枠形状内に三角形状の格子を形成する２つの中空の三角柱と、を備え、
２つの前記三角形状の格子は、前記外枠形状において、前記床面の中央部分を通る垂線に対して左右対称となるように隣接して配置されている仮設構造物。
【請求項２】
前記三角柱は、
前記床面とヒンジ連結され、前記円筒型物品の軸方向に沿ってみたとき、この床面の側部から下方に向かって傾斜するように配置された、この円筒型物品の周面と接する平板である側部斜面と、
前記側部斜面とヒンジ連結され、前記床面の前記中央部分に対して垂直となるように配置された平板である鉛直面と、
前記鉛直面と一方の側部でヒンジ連結するとともに、他方の側部で前記側部斜面に当接し、かつ前記床面と重畳するように配置された平板である上弦面と、を備え、
前記床面および２つの前記三角柱は、全体として平面に展開できるように構成された請求項１に記載の仮設構造物。
【請求項３】
前記三角柱は、
前記側部斜面と、前記鉛直面との間に設けられ、該鉛直面を支持する板部材である支持部をさらに備える請求項２に記載の仮設構造物。
【請求項４】
前記鉛直面に前記支持部の先端部を挿入するための挿入口が形成されており、
前記支持部は、
前記側部斜面において一部分が連結した状態で切り出され、該連結部分で折り曲げられて形成された支持片を備え、
前記支持片の先端部を前記挿入口に挿入することで前記側部斜面と前記鉛直面との間で固定される請求項３に記載の仮設構造物。
【請求項５】
前記床面に、複数の開口部が形成されている請求項１から４のいずれか１項に記載の仮設構造物。
【請求項６】
前記床面と２つの前記三角柱は、プラスチック製ダンボールから形成されている請求項１から５のいずれか１項に記載の仮設構造物。
【発明の詳細な説明】
【技術分野】
【０００１】
本発明は、限られた空間内に複数個配置された円筒型物品上で作業員が作業するために利用する仮設構造物（足場）に関する。特には、組み立て式の仮設構造物に関する。
【背景技術】
【０００２】
重量やサイズに関して大きな制限を受けずに輸送できる点で、鉄コイルや鉱石などの大型で重量のある物品の長距離輸送には船舶が利用されている。特に船底の貨物倉は高強度に設計されているため、鉄コイルや鉱石などの重量物はこの船底に設けられた貨物倉に収容され輸送されることが一般的である。
【０００３】
船底の貨物倉に収容する物品が鉄コイルの場合、円筒形状の鉄コイルが輸送中に移動しないようにしっかり固縛され積み上げられる。具体的には、図６に示すように鉄コイルの側面側が貨物倉の床側となる姿勢で、言い換えれば円形の上面と底面とが床面に対して垂直となる姿勢で貨物倉内に配置され、各鉄コイルは崩れないように隣接する鉄コイル同士が鉄帯などにより結束される。図６は、貨物倉内における鉄コイルの配置状態の一例を示す斜視図である。
【０００４】
ところで、鉄コイルは、例えば、自動車のボディなど重要な部材に利用されることが多く、品質を保証するために航海中に損傷等が生じていないか作業員によってチェックする必要がある。船底の貨物倉内でこのようなチェックを行う場合、作業員は鉄コイルの上、あるいは隣接する鉄コイル同士の間に形成された隙間に足を入れて、歩くこととなる。しかしながら、円筒型の鉄コイルの湾曲した側面、あるいは隣接する鉄コイル間に形成された隙間部分では十分に足場を確保することができず作業員が落下または転倒する危険性がある。
【０００５】
そこで、貨物倉内に収容された鉄コイル上を作業員が移動する場合、作業員は、鉄コイル間に形成された隙間部分にはめ込むことができる形状でかつ、隣接する鉄コイル間において水平面が得られるような形状に成形された発泡スチロールを足場として利用している。
【発明の概要】
【発明が解決しようとする課題】
【０００６】
ところで、上述したような形状に成形した発泡スチロールを足場として利用する場合、発泡スチロールは大きくなりある程度の重量を有するものとなるため持ち運びが困難となるという問題がある。さらには、発泡スチロールは折りたたんだりすることができないため、収納場所が大きくなるという問題もある。特に、船内など収容空間が限られている場合、積荷以外の物品がその空間において大きな場所を占めてしまうことは問題である。
【０００７】
そこで本発明は、持ち運びが容易な仮設構造物を提供することを目的とする。さらには、持ち運びが容易でかつ大きな収納空間を必要としない仮設構造物を提供することを目的とする。
【課題を解決するための手段】
【０００８】
本発明に係る仮設構造物は、上記した課題を解決するために、横置きされた円筒型物品間の間隙部分に設置され、作業員の足場を形成する仮設構造物であって、前記円筒型物品の軸方向に沿ってみたときの外枠形状が、逆三角形となっており、隣接した前記円筒型物品間で架け渡され、前記作業員の荷重を直接受ける平板である床面と、前記床面の前記円筒型物品と当接する各側部に連結され、該床面とともに前記外枠形状を形づくるとともに、この外枠形状内に三角形状の格子を形成する２つの中空の三角柱と、を備え、２つの前記三角形状の格子は、前記外枠形状において、前記床面の中央部分を通る垂線に対して左右対称となるように隣接して配置されている。
【０００９】
上記した構成によると、床面が隣接した円筒型物品間で架け渡されているため、該床面により作業員は足場を確保することができる。また、当該仮設構造物の前記した外枠形状内に三角形状の格子を形成する２つの中空の三角柱を備え、これら三角形状の格子が、床面の中央部分を通る垂線に対して左右対称となるように隣接して配置された構造、すなわちトラス構造となっているため、当該仮設構造物は構造的に十分な強度を有した足場を提供することができる。また、仮設構造物は構造的に十分な強度を確保することができるため、例えばプラスチック段ボールなどの薄い平板を利用して形成することができる。
【００１０】
それゆえ、本発明に係る仮設構造物は軽量化を図ることができる。したがって、本発明に係る仮設構造物は、持ち運びが容易となるという効果を奏する。
【００１１】
本発明に係る仮設構造物は、上記した構成において、前記三角柱は、前記床面とヒンジ連結され、前記円筒型物品の軸方向に沿ってみたとき、この床面の側部から下方に向かって傾斜するように配置された、この円筒型物品の周面と接する平板である側部斜面と、前記側部斜面とヒンジ連結され、前記床面の前記中央部分に対して垂直となるように配置された平板である鉛直面と、前記鉛直面と一方の側部でヒンジ連結するとともに、他方の側部で前記側部斜面に当接し、かつ前記床面と重畳するように配置された平板である上弦面と、を備え、前記床面および２つの前記三角柱は、全体として平面に展開できるように構成されてもよい。
【００１２】
上記した構成によると、三角柱は、前記側部斜面が床面とヒンジ連結されており、このため側部斜面は床面から吊り下げられた状態で支持されている。また、前記鉛直面は前記側部斜面とヒンジ連結されている。このため、この側部斜面を介して鉛直面も床面から吊り下げられた状態で支持されることとなる。同様に前記上弦面は鉛直面とヒンジ連結されているため、側部斜面および鉛直面を介して支持されることとなる。このため、三角柱により形成された三角格子の形状が変形することを防ぐことができる。
【００１３】
また、床面は側部斜面が連結されている各側部で円筒型物品と当接し、支持される構成である。このため、該床面のこの側部間における中央部分が下方に撓む場合がある。しかしながら、本発明に係る仮設構造体は、この中央部分に対して垂直となるように鉛直面が配置されている。このため、左右対称に配置された２つの三角柱それぞれの鉛直面によって床面の中央部分を下から支持することができ、これにより中央部分の撓みを防ぐことができる。このため、前記三角柱により形成された三角格子の形状が変形することを防ぐことができる。
【００１４】
さらにまた、上弦面を備えているため、鉛直面が側部斜面の方に倒れこむことを防ぐことができる。このため、鉛直面が側部斜面の方に倒れこみ三角柱により形成された三角格子の形状が変形することを防ぐことができる。また、上弦面は床面と重畳するように配置されるため、床面の剛性を高めることができる。
【００１５】
以上のように、本発明に係る仮設構造物は、前記側部斜面、前記鉛直面、および前記上弦面から構成された三角柱の側面形状、すなわち三角格子の形状の変形を防ぐことができる。さらに、床面の剛性を高めることができる。このため、本発明の仮設構造物は、構造的に高い強度を確保することができるため、薄い平板を利用して形成することができる。それゆえ、本発明に係る仮設構造物は軽量化を図ることができる。
【００１６】
さらにまた、本発明に係る仮設構造物は、床面と２つの三角柱とがそれぞれヒンジ連結されており、全体として平面に展開できるため、仮設構造物は１枚の平板から組み立てることができる。それゆえ、仮設構造物の保管時には解体して一枚の平板とし、この一枚の平板を各ヒンジ連結されている部分で適宜、折りたたんだ状態で収納することができる。
【００１７】
このため、本発明に係る仮設構造物は、持ち運びが容易でかつ大きな収納空間を必要としないという効果を奏する。
【００１８】
本発明に係る仮設構造物は、上記した構成において、前記三角柱は、前記側部斜面と、前記鉛直面との間に設けられ、該鉛直面を支持する板部材である支持部をさらに備えるように構成されていてもよい。
【００１９】
上記した構成によると支持部を備えているため、床部の前記中央部分に生じる撓みにより前記鉛直面が下方に押し付けられ座屈することを防ぐことができる。
【００２０】
本発明に係る仮設構造物は、上記した構成において、前記鉛直面に前記支持部の先端部を挿入するための挿入口が形成されており、前記支持部は、前記側部斜面において一部分が連結した状態で切り出され、該連結部分で折り曲げられて形成された支持片を備え、前記支持片の先端部を前記挿入口に挿入することで前記側部斜面と前記鉛直面との間で固定されるように構成されていてもよい。
【００２１】
上記した構成によると支持部は側部斜面の一部から切り出した支持片から形成されており、組み立て時において側部斜面から支持片部分を折り曲げ鉛直面の挿入口にその先端部を挿入するだけで支持部を設けることができる。このため、容易に支持部を設けることができる。また、支持片は側部斜面から切り出した一部であるため、解体時に側部斜面に嵌め込み平板とすることができる。このため、本発明に係る仮設構造靴は、別途、支持部材を側部斜面に取り付けた構成と比較して嵩張ることなく収納することができる。
【００２２】
本発明に係る仮設構造物は、上記した構成において、前記床面に、複数の開口部が形成された構成であってもよい。
【００２３】
上記した構成によると、床面に複数の開口部が形成されている。このため、開口している部分と床面との間に段差が形成され滑り止めとして機能させることができる。
【００２４】
本発明に係る仮設構造物は、上記した構成において、前記床面と２つの前記三角柱は、プラスチック製ダンボールから形成されていてもよい。
【発明の効果】
【００２５】
以上の説明から明らかなように、本発明によれば、仮設構造物は、持ち運びが容易となるという効果を奏する。
【図面の簡単な説明】
【００２６】
【図１】本発明の実施形態に係る仮設構造物１の構成の一例を示す斜視図である。
【図２】図１に示す仮設構造物の構成の一例を示す側面図である。
【図３】図１に示す仮設構造物の使用状態の一例を示す図である。
【図４】隣接する鉄コイル間に載置された仮設構造物の構造を模式的に示した図である。
【図５】図１に示す仮設構造物の展開図である。
【図６】貨物倉内における鉄コイルの配置状態の一例を示す斜視図である。
【発明を実施するための形態】
【００２７】
本実施の形態に係る仮設構造物１は、横置きされた鉄コイル（円筒型物品）間の間隙部分に設置され、作業員の足場を形成する組み立て式の構造物である。
【００２８】
まず、図１〜図３を参照して、本実施の形態に係る仮設構造物１の構成について説明する。図１は、本発明の実施形態に係る仮設構造物１の構成の一例を示す斜視図である。図２は、図１に示す仮設構造物１の構成の一例を示す側面図である。図２では、図１におけるＡ方向に沿ってみた仮設構造物１の側面形状を表している。この側面形状は横置きされた鉄コイル間の間隙に仮設構造物１が設置されたときに、この仮設構造物１を鉄コイルの軸方向に沿って見たときの形状であって、図２に示すようにその外枠形状は逆三角形となる。図３は、図１に示す仮設構造物１の使用状態の一例を示す図である。
【００２９】
（仮設構造物の構成）
図１、図２に示すように、仮設構造物１は、床面１０、右側斜面（側部斜面）１１、左側斜面（側部斜面）１２、右側鉛直面（鉛直面）１３、左側鉛直面（鉛直面）１４、右側上弦面（上弦面）１５、左側上弦面（上弦面）１６、右側支持部（支持部、支持片）１７、および左側支持部（支持部、支持片）１８を備えてなる構成である。
【００３０】
床面１０は、図３に示すように、使用時において作業員が移動するために足を載置する長方形状の平板により形成される面である。通常、床面１０は、横置きされた鉄コイルの軸方向に沿った方向が長手となり、この長手方向と垂直となる方向であって、隣接した鉄コイルの間で横架する方向が短手となる。本実施形態では、床面１０における長手方向を奥行方向Ｃと称し、短手方向を幅方向Ｂと称するものとする。
【００３１】
床面１０は、図２の紙面上の幅方向Ｂにおける右端部でこの床面１０から下方に延伸した右側斜面１１とヒンジ連結されている。また、床面１０は、この反対側の左端部でこの床面１０から下方に延伸した左側斜面１２とヒンジ連結されている。
【００３２】
また、図１に示すように床面１０には、その奥行方向Ｃに向かって複数の開口部２０が形成されている。この開口部２０により床面１０から該床面１０の下面に配置される左側上弦面１６および右側上弦面１５の一部が露出することなる。このため、床面１０部分と左側上弦面１６および右側上弦面１５の露出している部分との間において段差が形成され滑り止めとして機能することができる。
【００３３】
なお、本実施形態では開口部２０は、図１に示すように、床面１０の幅方向Ｂを長手とする略長方形状をしており、その側面は湾曲している。しかしながら、開口部２０の形状はこれに限定されるものではなく楕円形状であってもよいし、長方形であってもよい。また、本実施形態では、床面１０において５つの開口部２０が形成されているがこれに限定されるものではなく、５つ以上であってもよいし、５つよりも少なくてもよい。すなわち、作業員が歩行する位置に段差を形成することができるのであれば、開口部２０は任意の個数で任意の形状とすることができる。
【００３４】
なお、床面１０に滑り止めテープなどの滑り止め部材が施されている場合は上述した開口部２０を床面１０に必ずしも形成する必要はない。ただし、滑り止め部材を施す構成の場合、上述した開口部２０を床面１０に設ける構成と比較して、別途、滑り止め部材を用意する必要があり、コストがかかる。このため、上述したように開口部２０を床面１０に設ける構成の方が仮設構造物１の製造に必要なコストを低減させることができる点で有利である。
【００３５】
右側斜面１１は、図３に示すように、使用時において円筒型鉄コイルの側面に沿って配置される平板から形成される面である。右側斜面１１は、床面１０の右端部と、幅方向Ｂにおける床面１０の中央部分から鉛直方向下向きに立設した右側鉛直面１３の下端側の端部とを結ぶように紙面において左下がりに傾斜している。
【００３６】
一方、左側斜面１２は、図３に示すように、右側斜面１１と同様に、使用時において円筒型コイルの側面に沿って配置される面である。左側斜面１２は、床面１０の左端部と、幅方向Ｂにおける床面１０の中央部分から鉛直方向下向きに立設した左側鉛直面１４の下端部とを結ぶように、紙面において右下がりに傾斜している。
【００３７】
右側鉛直面１３（鉛直面）は、右側斜面１１の側部とヒンジ連結され、幅方向Ｂにおける床面１０の中央部分に対して垂直となるように配置された平板により形成される面である。この右側鉛直面１３は、幅方向Ｂにおける床面１０の中央部分を支持することができる。
【００３８】
一方、左側鉛直面１４は、左側斜面１２の側部とヒンジ連結され、右側鉛直面１３と隣接して配置される平板により形成される面である。この左側鉛直面１４も、右側鉛直面１３と同様に、幅方向Ｂにおける床面１０の中央部分を支持することができる。すなわち、右側鉛直面１３と左側鉛直面１４とによって鉛直材９（図１参照）を形成しており、この鉛直材９により、床面１０の幅方向Ｂにおける中央部分を支持し、この中央部分で生じる撓みを防止することができる。
【００３９】
右側上弦面１５は、右側鉛直面１３と一方の側部でヒンジ連結されるとともに、他方の側部で右側斜面１１に当接し、かつ床面１０と重畳するように配置された平板により形成される面である。右側上弦面１５は、床面１０と重畳することにより床面１０の強度を向上させることができる。また、他方の側部で右側斜面１１に当接することで、連結されている右側鉛直面１３が、右側斜面１１側に倒れこむことを防ぐことができる。さらにまた、右側鉛直面１３と隣接する後述の左側鉛直面１４が、右側斜面１１側に倒れこむことも防ぐことができる。
【００４０】
左側上弦面１６は、左側鉛直面１４と一方の側部でヒンジ連結されるとともに、他方の側部で左側斜面１２に当接し、かつ床面１０と重畳するように配置された平板により形成される面である。左側上弦面１６も右側上弦面１５と同様に、床面１０と重畳することにより床面１０の強度を向上させる。さらに、他方の側部で左側斜面１２に当接することで、連結されている左側鉛直面１４が左側斜面１２側に倒れこむなど移動することを防ぐことができる。さらにまた、左側鉛直面１４と隣接する右側鉛直面１３が、左側斜面１２に倒れこむことも防ぐことができる。
【００４１】
上記した複数の面が互いにヒンジ連結して形成される仮設構造物１は、図２に示すように、横置きされた円筒型物品の軸方向に沿ってみたときの側面の外枠形状は逆三角形となっている。そして、この外枠形状内に三角形状の格子として２つの中空の三角柱が配置された構造となっている。この２つの三角柱によって形成される三角形状の格子は、外枠形状において床面１０の中央部分を通る垂線に対して左右対称となるように隣接して配置されている。
【００４２】
すなわち、仮設構造物１は、右側上弦面１５を上弦材、右側斜面１１を斜材、右側鉛直面１３を鉛直材９とする三角形状の格子を形成する中空の三角柱（第１三角柱）と、左側上弦面１６を上弦材、左側斜面１２を斜材、左側鉛直面１４を鉛直材９とする三角形状の格子を形成する中空の三角柱（第２三角柱）とを組み合わせた、いわゆるトラス構造となっている。
【００４３】
また、図４を参照すると、仮設構造物１の構造は、使用時においては、床面１０と右側斜面１１との連結部分である右節点３０と、床面１０と左側斜面１２との連結部分である左節点３１とに、主として鉛直方向下向きの荷重がかかり、床面１０上を歩行する作業員を支えるようになっている。なお、図４は、隣接する鉄コイル間に載置された仮設構造物１の構造を模式的に示した図である。図４では、仮設構造部１に主として加わる力の向きを矢印により示している。
【００４４】
このように仮設構造物１はトラス構造となっているため構造的に高い強度を有し、右節点３０と左節点３１との間で作業者を支えることができる。また、仮設構造部１は、このように構造的に高い強度を有しているため、例えば、薄いプラスチック段ボールなどの素材で組み立てることができる。このため、軽量かつその分解時において大きな収納スペースを必要としない。
【００４５】
また、図４に示すように、仮設構造物１は、使用時において、右側斜面１１は右節点３０を支点として、つりさげられた状態で固定され、さらに右側鉛直面１３もこの右側斜面１１を介して所定位置につりさげられた状態で固定されている。同様に左側斜面１２は左節点３１を支点として、つりさげられた状態で固定され、さらに左側鉛直面１４もこの左側斜面１２を介して所定位置につりさげられた状態で固定される。
【００４６】
このため、右側鉛直面１３および左側鉛直面１４からなる鉛直材９が鉛直方向下向きに落ちこむことを防ぐことができる。また、このように使用時において鉛直材９が鉛直方向下向きに落ちこむことを防ぐことができる構成であるため、この鉛直材９により、床面１０の幅方向Ｂにおける中央部分を支持し、この中央部分で生じる撓みを防止することができる。
【００４７】
なお、本実施の形態に係る仮設構造物１では、図２に示す側面形状において床面１０の寸法が約３５０ｍｍ、右側斜面１１および左側斜面１２の寸法が約４００ｍｍとなるように構成されているが、各寸法はこれに限定されるものではない。例えば、側面形状において床面１０の寸法が約３００ｍｍ、右側斜面１１および左側斜面１２の寸法が約３００ｍｍであってもよい。これらの側面形状における寸法は、船底の貨物倉などに収容されている鉄コイルの寸法に応じて適宜設定されることが好ましい。
【００４８】
また、仮設構造物１の奥行寸法、すなわち床面１０の奥行方向Ｃの寸法は約１ｍである。しかしながらこの寸法もこれに限定されるものではない。床面１０の奥行方向Ｃの寸法が長くなればなるほど必要とする仮設構造物１の個数を低減させることができる一方で、各仮設構造部１のサイズが大きくなってしまうという問題がある。そこで、作業員が移動する距離と、仮設構造部１を展開して保管したり移動させたりするのに適切なサイズとを考慮し、適宜設定することが好適である。
【００４９】
また、本実施の形態に係る仮設構造物１は、幅方向Ｂにおける床面１０の中央部分の撓みによる力が作用して、鉛直材９が座屈してしまうことを防ぐために、右側支持部１７および左側支持部１８をさらに備える。右側支持部１７は、右側斜面１１と鉛直材９との間に設けられ、鉛直材９の右方向への屈曲を防ぐ。一方、左側支持部１８は、左側斜面１２と鉛直材９との間に設けられ鉛直材９の左方向への屈曲を防ぐ。
【００５０】
特に本実施の形態に係る仮設構造物１では、図５に示すように右側斜面１１の一部を切り出し形成した右側支持部１７を床面１０と右側斜面１１とのヒンジ連結部分で折り曲げ、鉛直材９に向かって延伸させるように配置する。これにより、鉛直材９の右方向への屈曲を防ぐことができる。一方、左側支持部１８は、右側支持部１７と同様に、左側斜面１２の一部を切り出し形成した左側支持部１８を床面１０と左側斜面１２とのヒンジ連結部分で折り曲げ、鉛直材９に向かって延伸させるように配置する。これにより、鉛直材９の左方向への屈曲を防ぐことができる。なお、図５は、図１に示す仮設構造物１の展開図である。
【００５１】
本実施の形態に係る仮設構造物１では、床面１０の奥行方向Ｃにおける端部近傍に作業員が立った場合、図４に示すようにこの鉛直材９の座屈が顕著に表れる。なお、図４では、床面１０の撓みと鉛直材９の座屈の例を破線で示している。このため、図１および図５に示すように、床面１０の奥行方向Ｃにおける両端部近傍それぞれにおいて、右側支持部１７および左側支持部１８の組がそれぞれ設けられている。
【００５２】
より具体的には、図５に示すように右支持部１７および左支持部１８それぞれは、略長方形の形状をした支持片から形成される。そして、右支持部１７および左支持部１８それぞれは、図５における床面１０と右側斜面１１とのヒンジ連結部分、床面１０と左側斜面１２とのヒンジ連結部分それぞれと接する辺を残し、右側斜面１１および左側斜面１２から切り出されている。
【００５３】
このため、右支持部１７および左支持部１８は、図５において、床面１０とのヒンジ連結部を軸にして右側斜面１１から床面１０側へ、ならびに左側斜面１２から床面１０側へとそれぞれ折り曲げることができる。また、右支持部１７および左支持部１８を形成する支持片の先端部には、凸部１７ａ、１８ａがそれぞれ形成されている。
【００５４】
さらに図５に示すように右側鉛直面１３には、幅方向Ｂにおいて右側支持部１７および左側支持部１８それぞれの位置と対応する位置に右側差込口２１および左側差込口２２が形成されている。そして、図５に示す仮設構造物１の展開状態からこの仮設構造物１を組み立てる際に、右支持部１７の凸部１７ａおよび左支持部１８の凸部１８ａをこの右側差込口２１および左側差込口２２に挿入するように構成されている。
【００５５】
なお、仮設構造物１の鉛直材９が座屈することがない場合は、上述した右支持部１７および左支持部１８を必ずしも備える必要はない。
【００５６】
（組み立て方法）
ここで、本実施の形態に係る仮設構造物１の組み立て方法について上述した図５を参照して説明する。
【００５７】
具体的には、本実施の形態に係る仮設構造部１は、以下のようにして組み立てることができる。ここでは説明の便宜上、２つの三角柱のうち第１三角柱の組み立て方法を例に挙げて説明する。
【００５８】
まず、図５に示す展開状態において、床面１０と右側斜面１１とのヒンジ連結部分で、右側斜面１１を床面１０に向かって折る。さらに右側斜面１１と右側鉛直面１３とのヒンジ連結部分で、右側鉛直面１３を右側斜面１１に向かって折る。このとき、右側鉛直面１３と右側上弦面１５とのヒンジ連結部分が幅方向Ｂにおける床面１０の中央部分に当接し、かつ該床面１０と垂直に交わるように配置する。さらに、右側上弦面１５と右側鉛直面１３とのヒンジ連結部分で右側上弦面１５を右側鉛直面１３に向かって折り、右側上弦面１５が床面１０と重畳するように配置される。このとき右側上弦面１５の端部は右側斜面１７と当接する。
【００５９】
左側に配置される第２三角柱についても第１三角柱と同様にして組み立てることができる。このようにして第１、第２三角柱それぞれを組み立てると右側鉛直面１３に形成した右側差込口２１および左側鉛直面１４に形成した左側差込口２２を重ね合わせ、右支持部１７の凸部１７ａおよび左支持部１８の凸部１８ａをこの右側差込口２１および左側差込口２２にはめ込む。
【００６０】
凸部１７ａおよび凸部１８ａは、互いが交差するような位置関係で右側差込口２１および左側差込口２２に挿入できるように右側支持部１７および左側支持部１８に形成されている。また、凸部１７ａの幅寸法と凸部１８ａの幅寸法とを足し合わせた寸法が右側差込口２１および左側差込口２２の寸法と略同じとなっている。
【００６１】
このため、凸部１７ａと凸部１８ａとを一緒に右側差込口１７および左側差込口１８に嵌め込むことで、右側支持部１７および左側支持部１８を鉛直材９に固定させることができる。これにより、第１三角柱内において右支持部１７を固定し、第２三角柱内において左支持部１８を固定させ、鉛直材９の幅方向Ｂへの変形を防ぐことができる。
【００６２】
以上のように本実施の形態に係る仮設構造物１は、複数の平板を折りたたんで形成することができるため容易に組み立てることができる。
【００６３】
なお、本実施の形態に係る仮設構造物１は、上述したように、例えば、ポリプロピレンまたはポリカーボネートなどのプラスチックを素材として作られた段ボール（プラスチック段ボール）から形成することができる。プラスチック段ボールは、ボール紙製の段ボールと比べて強度と耐久性、耐水性に勝っており繰り返しの利用に耐えることができる。また、可撓性を有するため、隣接する鉄コイル間において形成された隙間の形状に合うように変形することができる。このため、仮設構造物１はこの隙間にきっちり嵌まり込むことができる。しかしながら、本実施の形態に係る仮設構造物１を形成する部材は、このプラスチック段ボールに限定されるものではなく、上述した仮設構造物１の形状を構成することができる平板部材であれば任意である。
【００６４】
また、仮設構造部１は上述したように各面同士はヒンジ連結されており、折り曲げて組み立てることができる構成である。このヒンジ連結部分は、プラスチック段ボールにおける折り曲げ位置に切り込みが入れることで実現できる。また、切り込みのエッジ部分には丸みを施しており、折り曲げ箇所に触れて作業員がけがなどすることを防ぐように工夫されている。
【００６５】
なお、ヒンジ連結部分は上述した切り込みにより実現される構成に限定されるものではない。例えば、異なる平板同士を複数の蝶番によって連結した構成としてもよい。
【００６６】
以上のように、本実施の形態に係る仮設構造物１は、２つの三角柱から構成されたトラス構造をしているため、プラスチック段ボールなどの薄いシート状の素材から組み立てても十分な強度を保つことができる。このように、プラスチック段ボールなどの薄板の素材から組み立てることができるため、軽量化を図ることができ携帯性を向上させることができる。また、仮設構造物１を解体すると１枚のシート状になるため、その保管時には大きな収納空間を必要としない。
【００６７】
上記説明から、当業者にとっては、本発明の多くの改良や他の実施形態が明らかである。従って、上記説明は、例示としてのみ解釈されるべきであり、本発明を実行する最良の態様を当業者に教示する目的で提供されたものである。本発明の精神を逸脱することなく、その構造及び／又は機能の詳細を実質的に変更できる。
【産業上の利用可能性】
【００６８】
以上のように、本発明に係る仮設構造物１は、複数の鉄コイルなどの円筒型物品が収納された空間において該円筒型物品上を作業者が移動する際の足場を提供するとともに、その持ち運びが容易かつ、大きな収納空間を要しないという効果を有する。このため、この効果の意義を発揮できるような状況におけるさまざまな足場として広く適用することができる。
【符号の説明】
【００６９】
１    仮設構造物
１０    床面
１１    右側斜面
１２    左側斜面
１３    右側鉛直面
１４    左側鉛直面
１５    右側上弦面
１６    左側上弦面
１７    右側支持部
１７ａ  凸部
１８    左側支持部
１８ａ  凸部
３０    右節点
３１    左節点
【図１】
0006018558.tif 000002
【図２】
0006018558.tif 000003
【図３】
0006018558.tif 000004
【図４】
0006018558.tif 000005
【図５】
0006018558.tif 000006
【図６】
0006018558.tif 000007